(57)【要約】【課題】施工現場の状況に応じて下水本管の補修が可能な補修用支管を提供する。【解決手段】補修用支管は、枝管５が接続される枝管接続部１１を具備する管状の支管本体部１０と、支管本体部１０の他端部に設けられており、下水本管６の外周面に沿って被着可能な湾曲形状の鞍部２０と、を備え、鞍部２０には、鞍部２０の一部を切除して分割可能とする易破断部２１，２５が線状に形成されている。【選択図】図８
2020183789.tif 000002
【特許請求の範囲】
【請求項１】
略円筒形状の下水本管に既に設けられている貫通孔部に枝管を接続するため、前記貫通孔部を被覆した状態で前記下水本管に取り付けられる補修用支管であって、
前記枝管が接続される一端部を具備する管状の支管本体部と、
前記支管本体部の他端部に設けられており、前記下水本管の外周面に沿って被着可能な湾曲形状の鞍部と、
を備え、
前記鞍部には、当該鞍部の一部を切除して分割可能とする易破断部が形成されている
ことを特徴とする補修用支管。
【請求項２】
前記易破断部が、線状に形成されている
請求項１に記載の補修用支管。
【請求項３】
前記鞍部は、前記下水本管の外周面に被着された状態で当該下水本管の軸線に平行となる仮想鞍軸線を中心に湾曲した形状となっており、
前記易破断部は、前記仮想鞍軸線に沿う方向および前記鞍部の周方向に沿う方向のうち、少なくともいずれかの方向に沿って形成されている
請求項２に記載の補修用支管。
【請求項４】
請求項１乃至請求項３のいずれか１項に記載の補修用支管を用いた下水本管の補修方法であって、
前記補修用支管における前記易破断部に沿って前記鞍部の一部を切除した後に、当該補修用支管を前記下水本管に取り付ける補修用支管取付工程を含む
ことを特徴とする下水本管の補修方法。
【請求項５】
前記補修用支管取付工程にあって、前記補修用支管の前記鞍部を前記下水本管の外周面に被着した際に前記貫通孔部のうち前記鞍部からはみ出した部分を被覆するように、前記切除した鞍部の一部を当該下水本管の外周面に被着する補助工程を含む
請求項４に記載の下水本管の補修方法。
【発明の詳細な説明】
【技術分野】
【０００１】
本発明は、下水本管の補修に用いられる補修用支管及び前記補修用支管を用いた下水本管の補修方法に関する。
【背景技術】
【０００２】
従来、地下に埋設された既設の下水本管に、補修の目的で枝管を新規に取り付ける場合には、下水本管に予め形成された貫通孔部に接続用支管を取り付ける手法が通常採用される。ここで、上述の接続用支管は、湾曲形状のスカート部（鞍部）を備えており、当該スカート部で下水本管の貫通孔部の周囲を被覆して下水本管内に砂等が入り込んでしまったり、下水が外部へ漏水してしまったりすることを防止している（例えば特許文献１参照。）。
【０００３】
なお、上述の構成にあって、鞍部と下水本管とは接合剤を用いて相互を固定することが一般的である。
【先行技術文献】
【特許文献】
【０００４】
【特許文献１】実開平０２−８４０９４号公報
【発明の概要】
【発明が解決しようとする課題】
【０００５】
ところで、長期にわたって地下に埋設されていた下水本管は、腐食するなどして劣化し、これによって貫通孔部の孔縁が欠けるなどして孔径が大きくなってしまったり、孔形状がいびつになってしまったりすることがある。このような貫通孔部に枝管を新規に接続する場合に、規格に基づいて予め準備されていた接続用支管では、鞍部の寸法が不足して貫通孔部を被覆しきれないおそれが生じる。特に汎用性を持たせた一般的な接続用支管にあっては、製造コストの観点から鞍部の大きさが必要最小限の規定寸法とされているため、問題が生じやすい。また、施工現場の様々な取付状態に対応できるように、寸法が異なる多数の型をあらかじめ在庫として準備しておくと、大幅なコスト高となってしまう。一方、鞍部の寸法が貫通孔部の孔径に対して過剰に大きいと、接合剤の塗布量が過剰となってコスト高となるおそれがある。
【０００６】
本発明は、かかる現状に鑑みてなされたものであり、施工現場の取付状況に柔軟に対応できる補修用支管を提供することを目的とする。
【０００７】
また本発明は、取付状況に柔軟に対応できる下水本管の補修方法を提供することを目的とする。
【課題を解決するための手段】
【０００８】
本発明は、略円筒形状の下水本管に既に設けられている貫通孔部に枝管を接続するため、前記貫通孔部を被覆した状態で前記下水本管に取り付けられる補修用支管であって、前記枝管が接続される一端部を具備する管状の支管本体部と、前記支管本体部の他端部に設けられており、前記下水本管の外周面に沿って被着可能な湾曲形状の鞍部と、を備え、前記鞍部には、当該鞍部の一部を切除して分割可能とする易破断部が形成されていることを特徴とする補修用支管である。
【０００９】
かかる構成にあっては、例えば鞍部の寸法が貫通孔部の孔径に対して過剰に大きい場合には適切な鞍部の寸法とすべく、当該鞍部の一部を易破断部に沿って切除し、鞍部を小型化することができるため、必要な接合剤の塗布量に抑制したり、取付作業の効率化を図ったりすることができる。
【００１０】
なお、前記易破断部は、線状に形成されていることが好ましい。
【００１１】
かかる構成とすることにより、易破断部が簡素な構造となる。
【００１２】
また、前記鞍部は、前記下水本管の外周面に被着された状態で当該下水本管の軸線に平行となる仮想鞍軸線を中心に湾曲した形状となっており、前記易破断部は、前記仮想鞍軸線に沿う方向および前記鞍部の周方向に沿う方向のうち、少なくともいずれかの方向に沿って形成されている構成が提案される。
【００１３】
かかる構成とすることにより、前記仮想鞍軸線に沿う方向及び／又は鞍部の周方向（仮想鞍軸線を中心とした湾曲方向）に沿って、鞍部の外形を変更することが可能となり、作業内容が簡素化される利点がある。なお、前記鞍部が前記下水本管の外周面に被着された状態で下水本管の軸線と仮想鞍軸線とが平行となることには、下水本管の軸線と仮想鞍軸線とが重なり合う場合も含まれる。
【００１４】
さらに本発明は、前記補修用支管を用いた下水本管の補修方法であって、前記補修用支管における前記易破断部に沿って前記鞍部の一部を切除した後に、当該補修用支管を前記下水本管に取り付ける補修用支管取付工程を含むことを特徴とする下水本管の補修方法である。
【００１５】
かかる構成とすることにより、簡便な作業で鞍部を小型化することができるため、必要な接合剤の塗布量に抑制したり、取付作業の効率化を図ったりすることができる。
【００１６】
また、前記補修用支管取付工程にあって、前記補修用支管の前記鞍部を前記下水本管の外周面に被着した際に前記貫通孔部のうち前記鞍部からはみ出した部分を被覆するように、前記切除した鞍部の一部を当該下水本管の外周面に被着する補助工程を含む構成が提案される。
【００１７】
ここで、切除した前記鞍部の一部は、本来、下水本管の側周面に適合した曲率を備えた湾曲形状を有しているため、拡径したり歪な形状となったりした貫通孔部において鞍部からはみ出した部分を当該鞍部の一部を用いて、別途加工したり新規の部品を用いたりすることなく、適切に被覆することが可能となる。換言すれば、かかる構成は、作業現場に持ち込む資材を低減できる。
【発明の効果】
【００１８】
本発明の補修用支管は、施工現場の取付状況に柔軟に対応できる優れた効果がある。
【００１９】
また本発明の下水本管の補修方法は、施工現場の取付状況に柔軟に対応できると共に、作業現場に持ち込む資材を飛躍的に低減できる優れた効果がある。
【図面の簡単な説明】
【００２０】
【図１】実施例にかかる補修用支管の外観斜視図である。
【図２】実施例にかかる補修用支管を示し、（ａ）は正面図であり、（ｂ）は側面図である。
【図３】易破断部を示す断面図である。
【図４】実施例にかかる下水本管の部分斜視図である。
【図５】実施例にかかる下水本管に補修用支管を取り付けた状態を示す斜視図である。
【図６】実施例にかかる補修用支管における鞍部の一部を分割した状態を示す斜視図である。
【図７】実施例にかかる下水本管に、鞍部の一部を切除した補修用支管の主体部分を被着した状態を示す斜視図である。
【図８】実施例にかかる下水本管に、鞍部の切除部分を追加で被着した状態を示す斜視図である。
【発明を実施するための形態】
【００２１】
本発明にかかる補修用支管の実施形態を、以下の実施例に従って説明する。なお、補修用支管は、例えば図８に示すように、略円筒形状のヒューム管等からなる下水本管６に枝管５を新規に接続する際に用いられる。
【００２２】
〔補修用支管〕
補修用支管１は、図１，図２に示すように、両端が開口した円管状の支管本体部１０を備えている。なお、支管本体部１０の一端部に設けられた開口部が、枝管５が接続される枝管接続部１１とされている。これに対し、支管本体部１０の他端部の先端開口部が、下水本管６側に配されることとなる突出状嵌合部１２（図２参照）とされている。
【００２３】
さらに、支管本体部１０の他端部には、湾曲形状の板状部材からなる鞍部２０がフランジ状に形成されている。さらに詳述すると、鞍部２０の湾曲形状は、下水本管６の外周面に沿って被着可能な湾曲形状に定められており、下水本管６の外周面に被着された状態で下水本管６の軸線Ｃ１（図７参照）に平行となる仮想鞍軸線Ｃ２を中心に湾曲した円弧形状を有している。なお、鞍部２０の内周面においては、上述の突出状嵌合部１２が下水本管６側に向かって突出している。
【００２４】
かかる構成にあって、支管本体部１０を下水本管６に取り付けた状態では、図４に示すような下水本管６に設けられた貫通孔部７内に、支管本体部１０の突出状嵌合部１２が内嵌した状態で、鞍部２０が下水本管６の外周面に沿って被着することになる。なお、被着時には、鞍部２０の内周面と下水本管６の外周面との間に接合剤を塗布して固定することが好ましい。
【００２５】
次に、本発明の要部について説明する。
図１，図２に示すように、鞍部２０の外周面には、仮想鞍軸線Ｃ２に沿う方向に沿って線状の軸方向易破断部２１が支管本体部１０を挟んで左右両側に複数形成されている。これと共に、鞍部２０の外周面には、鞍部２０の周方向ＣＤ（図２参照）に沿う方向に沿って線状の周方向易破断部２５が支管本体部１０を挟んで前後に複数形成されている。
【００２６】
ここで、図３に示すように、線状の軸方向易破断部２１と周方向易破断部２５（合わせて、適宜、易破断部２１，２５ともいう）は、鞍部２０の外周面において板厚方向を溝深さ方向とする溝部で構成されており、当該易破断部２１，２５に沿って鞍部２０の一部を切除して鞍部２０を前後方向または左右方向で分割可能とされている。
【００２７】
かかる構成にあっては、例えば未分割の標準型としての鞍部２０の寸法が貫通孔部７の孔径に対して過剰に大きい場合には適切な鞍部２０の寸法とすべく、当該鞍部２０の一部を切除し、鞍部２０を小型化することができる。このため、必要な接合剤の塗布量を抑制したり、取付作業の効率化を図ったりすることができる。
【００２８】
〔下水本管の補修方法〕
次に、本実施例の補修用支管１を用いた下水本管６の補修方法を説明する。
【００２９】
既設の下水本管６に枝管５を新たに接続する補修作業時にあっては、図４に示すように、下水本管６に予め設けられていた貫通孔部７が、経年劣化に伴い歪な形状となっている場合がある。かかる状態において、標準型としての補修用支管１を下水本管６の所定位置に取り付けた場合には、図５に示すように、貫通孔部７の一部が補修用支管１の鞍部２０からはみ出してしまい、貫通孔部７を完全に被覆することができないことがある。一方、貫通孔部７の一部がはみ出した部位とは反対側においては、貫通孔部７の孔縁に対して鞍部２０の外周縁部が無駄に広く被着していることがある。
【００３０】
そこでまず、図６に示すように、無駄に広く被着している部分に対応する鞍部２０の部分に形成された複数の周方向易破断部２５のうち、所要位置の周方向易破断部２５を一つ選択し、当該周方向易破断部２５に沿って鞍部２０の一部を切除して、支管本体部１０を含む主体部分３１と、切除された鞍部２０の一部である切除部分３２とに補修用支管１を分割する。
【００３１】
そうすると、図７に示すように、主体部分３１を含む補修用支管１を下水本管６に取り付けた状態では、貫通孔部７の一部がはみ出した部位とは反対側において、貫通孔部７の孔縁に対して鞍部２０の外周縁部が無駄に広く被着しているという問題が解消される。
【００３２】
そしてさらに、鞍部２０から切り離した切除部分３２を、鞍部２０からはみ出した貫通孔部７の部分を被覆するように、下水本管６の外周面に被着することで、貫通孔部７が一部だけ露出してしまうという問題が解消される。また、切除部分３２と下水本管６は、周面の曲率が適合するため、切除部分３２を被着したときに下水本管６に過剰な負荷がかからず、下水本管６の破損を防止することができる。
【００３３】
そして、図８に示すように、枝管５を補修用支管１の枝管接続部１１に接続することで、下水本管６の補修が完了する。なお、上述の鞍部２０を一部切除した後に、補修用支管１を下水本管６に取り付ける工程によって、本発明における補修用支管取付工程が構成される。また、鞍部２０からはみ出した貫通孔部７を被覆するように切除部分３２を下水本管６の外周面に被着する工程によって、本発明における補助工程が構成される。
【００３４】
ところで、上述した例とは異なり、例えば標準形状の補修用支管１を取り付けた際に、貫通孔部７の一部が鞍部２０から下水本管６の周方向側にはみ出した場合には、鞍部２０の軸方向易破断部２１のいずれかに沿って補修用支管１を分割し、はみ出した貫通孔部７の部分をその切除した鞍部２０の一部で被覆するようにしてもよい。
【００３５】
上記実施例において、各部の寸法形状は適宜自由に選択可能である。
また、軸方向易破断部２１や周方向易破断部２５の配設数は特に限定されない。また、易破断部２１，２５の配設位置として、支管本体部１０を挟んで両側に配されている必要はなく、例えば片側のみに易破断部２１，２５が形成されていてもよい。また、線状に形成される易破断部２１，２５は、溝部で構成されている必要はない。すなわち、容易に破断が可能であれば他の形状でもよく、例えば点状の凹部や貫通部が一列状に並んだいわゆるミシン目構造とされていてもよい。
また、易破断部２１，２５が線状に形成されていることには、例えば直線状、かぎ状あるいは曲線状も含まれる。
また、下水本管６に被着された鞍部２０が下水本管６から離脱しないように番線等で鞍部２０を上から縛るようにしてもよい。
【符号の説明】
【００３６】
１                補修用支管
５                枝管
６                下水本管
７                貫通孔部
１０              支管本体部
２０              鞍部
２１              軸方向易破断部（易破断部）
２５              周方向易破断部（易破断部）
Ｃ１              軸線
Ｃ２              仮想鞍軸線
【図１】
2020183789.tif 000003
【図２】
2020183789.tif 000004
【図３】
2020183789.tif 000005
【図４】
2020183789.tif 000006
【図５】
2020183789.tif 000007
【図６】
2020183789.tif 000008
【図７】
2020183789.tif 000009
【図８】
2020183789.tif 000010